(57)【特許請求の範囲】
【請求項１】
毛髪処理液を収容する収容容器と該収容容器に接続され前記毛髪処理液を吐出する吐出口を有してなる櫛体から構成されるとともに該櫛体には内向き略平行に配される一対の液保持壁により毛髪挿通部が設けられている塗布具付容器において、
前記吐出口は、開口方向を前記液保持壁の壁面上に向けて形成され、前記吐出口は、前記毛髪挿通部において毛髪の挿通方向に複数並列に設けられている塗布具付容器。
【請求項２】
前記吐出口の開口方向は、前記液保持壁の壁面に対し略垂直である請求項１記載の塗布具付容器。
【請求項３】
前記吐出口は、開口方向が互いに反対向きに配設される一対の吐出口として、前記一対の液保持壁間の略中央部において２以上設けられている請求項１又は請求項２記載の塗布具付容器。
【請求項４】
前記一対の液保持壁間の幅は、１〜２０ｍｍである請求項１から請求項３のいずれか一項記載の塗布具付容器。
【請求項５】
前記液保持壁は、下端から上端までの高さが５〜２０ｍｍである請求項１から請求項４のいずれか一項記載の塗布具付容器。
【請求項６】
前記液保持壁の壁面上において、前記吐出口からの中心軸線を挟むように一対の凸部が上下方向に形成されている請求項１から請求項５のいずれか一項記載の塗布具付容器。
【発明の詳細な説明】
【技術分野】
【０００１】
本発明は、塗布具付容器に係り、詳しくは吐出された毛髪処理液を櫛体上において保持可能に構成した塗布具付容器に関する。
【背景技術】
【０００２】
一般に、毛髪の一部に染毛剤、脱色剤及び脱染剤等の毛髪処理液を塗布することにより部分的又はメッシュ状に染色等するための塗布具付容器が知られている。かかる塗布具付容器は染毛液等を収容する収容容器と該収容容器と連通するとともに２枚の板状櫛歯を有する櫛体から構成されている。所望位置の毛束を２枚の板状櫛歯間に挿通させ、相対移動させながら染毛液等を塗布するものである。かかる塗布具付容器は、毛髪の束を挿通させるため、例えば毛髪全体染め用の複数の櫛歯を有する塗布具付容器に比べ、通常櫛歯間が広く構成されている。そのため、液だれを防止しながら染毛液等を櫛歯間に保持させるための構成が必要となる。
【０００３】
従来より、特許文献１に記載される塗布具付容器が知られている。かかる塗布具付容器は、櫛歯間の開口部を発泡体等により区画、閉鎖することにより櫛歯間内側において液だれを防止しながら染毛液等を貯留する。毛束は発泡体に切り込まれたスリットから挿通され、櫛歯間内部に貯留された染毛液等が付着される。
【特許文献１】特開２００３−２４１２８号公報
【発明の開示】
【発明が解決しようとする課題】
【０００４】
ところが、かかる従来の塗布具付容器は、発泡体等により櫛歯間が閉鎖されるため、櫛歯間内部に貯留される染毛液等の量を直接目視にて確認することができない。櫛歯間内部に貯留される染毛液等の量は前記スリットに挿通される毛束への付着量により初めて確認される。そのため、貯留量が少ないと毛束に必要量の染毛液等を付着させるために複数回のコーミング処理を必要とする場合があり、染毛等の処理が煩雑になるという問題があった。
【０００５】
本発明は、このような従来技術に存在する問題点に着目してなされたものである。その目的とするところは、毛髪処理剤を毛束に塗布するための塗布具付容器において、液だれを防止しながら目視にて毛髪処理剤の吐出液量を確認することができる塗布具付容器を提供することにある。
【課題を解決するための手段】
【０００６】
上記の目的を達成するために、請求項１に記載の発明は、毛髪処理液を収容する収容容器と該収容容器に接続され前記毛髪処理液を吐出する吐出口を有してなる櫛体から構成されるとともに該櫛体には内向き略平行に配される一対の液保持壁により毛髪挿通部が設けられている塗布具付容器において、前記吐出口は、開口方向を前記液保持壁の壁面上に向けて形成され、前記吐出口は、前記毛髪挿通部において毛髪の挿通方向に複数並列に設けられている。
【０００７】
請求項２記載の発明は、請求項１記載の塗布具付容器において、前記吐出口の開口方向は、前記液保持壁の壁面に対し略垂直である。
請求項３記載の発明は、請求項１又は請求項２記載の塗布具付容器において、開口方向が互いに反対向きに配設される一対の吐出口として、前記一対の液保持壁間の略中央部において２以上設けられている。
【０００９】
請求項４記載の発明は、請求項１から請求項３のいずれか一項記載の塗布具付容器において、前記一対の液保持壁間の幅は、１〜２０ｍｍである。
請求項５記載の発明は、請求項１から請求項４のいずれか一項記載の塗布具付容器において、前記液保持壁は、下端から上端までの高さが５〜２０ｍｍである。
【００１０】
請求項６記載の発明は、請求項１から請求項５のいずれか一項記載の塗布具付容器において、前記液保持壁の壁面上において、前記吐出口からの中心軸線を挟むように一対の凸部が上下方向に形成されている。
【発明の効果】
【００１１】
本発明によれば、毛髪処理剤を毛束に塗布するための塗布具付容器において、液だれを防止しながら目視にて毛髪処理剤の吐出量を確認することができる。
【発明を実施するための最良の形態】
【００１２】
以下、本発明の塗布具付容器１１を具現化した一実施形態を図１〜図６にしたがって説明する。
図１に示されるように本発明の塗布具付容器１１は、有底略円筒状をなす収容容器１２と該収容容器１２の上端開口部１２ａに接続される櫛体１３とから構成されている。収容容器１２は、握力により容易に変形可能な可撓性の合成樹脂等により成型され、毛髪処理液が内部に充填される。収容容器１２内の毛髪処理液は収容容器１２の外周面を手で挟持変形させることにより上端開口部１２ａから櫛体１３内へ吐出される。収容容器１２の上端外周面は雄ネジ１２ｂが螺刻されている。
【００１３】
図１〜図４に示されるように、櫛体１３は合成樹脂等により成形され、有蓋円筒状の櫛体本体１４と該櫛体本体１４の上端部に固定されている櫛歯部１５とから構成されている。櫛体本体１４は筒状部１４ａ及び該筒状部１４ａの上端を閉口する先細状のテーパ部１４ｂから構成されている。筒状部１４ａの内周面には収容容器１２の雄ネジ１２ｂと螺合可能な雌ネジ１４ｃが螺刻されている。櫛体１３は雄ネジ１２ｂと雌ネジ１４ｃとが螺合することにより収容容器１２と接続される。テーパ部１４ｂの内周面は通水路１４ｄとして構成され、収容容器１２内部から吐出される薬液がテーパ部１４ｂの上端方向に案内可能に構成されている。
【００１４】
櫛歯部１５は平面略長方形状の底板１５ａと該底板１５ａの両側面から上方に延びる２枚（一対）の液保持板１５ｂとによりＵ字溝状に構成される。一対の液保持板１５ｂはそれぞれ片面に液保持壁１５ｃが設けられ、それらの液保持壁１５ｃが互いに内向略平行の状態で配設されている。一対の液保持壁１５ｃ間及び底板１５ａの上面により処理対象の毛髪が挿通される毛髪挿通部１５ｄが形成される。櫛歯部１５は底板１５ａの下面においてテーパ部１４ｂの上端部と一体固定されている。液保持壁１５ｃの上端から下端までの高さＨ１は使用する毛髪処理液の性状、毛髪量等により適宜設定されるが、好ましくは５〜２０ｍｍである。かかる高さ範囲においては、一回のコーミング動作で毛髪に塗布可能な量の毛髪処理液を保持することができる。底板１５ａの長手方向の長さ（毛髪挿通部１５ｄの長さ）Ｌは使用する毛髪処理液の性状、毛髪の処理範囲等により適宜設定されるが、好ましくは３０〜４０ｍｍである。かかる長さ範囲においては一回のコーミング動作で毛髪に塗布可能な量の毛髪処理液を保持することができ、また毛髪処理液を引き伸ばしながら毛髪に付着させることができる。毛髪挿通部１５ｄを構成する一対の液保持壁１５ｃ間の距離（底板１５ａの幅）Ｗは使用する毛髪処理液の性状、毛髪の処理範囲等により適宜設定されるが、好ましくは１〜２０ｍｍである。かかる幅においては一回のコーミング動作で毛髪に塗布可能な量の毛髪処理液を保持することができる。
【００１５】
底板１５ａは２枚の液保持板１５ｂを連結するとともに２つの液保持壁１５ｃとそれらの下端部を繋ぐ底板１５ａ上面とにより区画される空間に毛髪挿通部１５ｄを形成している。毛髪挿通部１５ｄの底面（底板１５ａの上面）において長手方向中央部且つ幅方向中央部に凸状の第１吐出部１６が形成されている。第１吐出部１６は平面略長方形状に構成され、２つの（一対の）略正方形状の第１吐出口１６ａが形成されている。２つの第１吐出口１６ａは開口方向が互いに反対向きに配設されるよう第１吐出部１６の液保持壁１５ｃと対向する両側面において第１吐出口１６ａがそれぞれ形成されている。第１吐出口１６ａの開口面と垂直に交差する中心軸線Ｔ１は液保持壁１５ｃの壁面に対して略垂直に交差する。つまり、２つの第１吐出口１６ａの開口方向はそれぞれ液保持壁１５ｃの壁面に対し略垂直に設けられている。第１吐出口１６ａは第１吐出部１６の内部に形成される第１通水部１６ｂ及び底板１５ａの上下面を貫通するとともに第１通水部１６ｂと連通する第１通水孔１５ｅを介し、テーパ部１４ｂの通水路１４ｄと連通している。
【００１６】
底板１５ａ上においてさらに第２吐出部１７及び第３吐出部１８が第１吐出部１６の長手方向（毛髪挿通方向）前後に並列して設けられている。第２吐出部１７及び第３吐出部１８は第１吐出部１６と同様の形状に構成され、液保持壁１５ｃと対向する両側面において略正方形状の第２吐出口１７ａ及び第３吐出口１８ａがそれぞれ形成されている。２つの第２吐出口１７ａの中心軸線もそれぞれ液保持壁１５ｃの壁面に対し、略垂直に交差する。つまり、第２吐出口１７ａの開口方向はそれぞれ液保持壁１５ｃの壁面に対し略垂直に設けられている。第２吐出口１７ａは第２吐出部１７の内部に形成される第２通水部１７ｂ及び底板１５ａの上下面を貫通するとともに第２通水部１７ｂと連通する第２通水孔１５ｆを介し、テーパ部１４ｂの通水路１４ｄと連通している。同様に２つの第３吐出口１８ａの中心軸線もそれぞれ液保持壁１５ｃの壁面に対し、略垂直に交差する。つまり、第３吐出口１８ａの開口方向はそれぞれ液保持壁１５ｃの壁面に対し略垂直に設けられている。第３吐出口１８ａは第３吐出部１８の内部に形成される第３通水部１８ｂ及び底板１５ａの上下面を貫通するとともに第３通水部１８ｂと連通する第３通水孔１５ｇを介し、テーパ部１４ｂの通水路１４ｄと連通している。第１吐出部１６〜第３吐出部１８の底板１５ａからの高さＨ２は毛髪処理液の粘度、毛髪の長さ、液保持壁１５ｃの高さ等により適宜設定されるが、好ましくは１〜５ｍｍである。高さが１ｍｍ未満であると一定の粘度を有する薬液を吐出させる吐出口の形成が困難となる。一方、高さが５ｍｍを超えると毛髪挿通部１５ｄを通過する毛髪が吐出部に絡みやすくなるという問題が生じる。
【００１７】
左右の液保持壁１５ｃ上には、それぞれ第１吐出口１６ａの開口面と垂直に交差する中心軸線Ｔ１を挟むように一対の第１保持凸部１５ｈが上下方向に延設されている。第１保持凸部１５ｈの高さ及び第１保持凸部間の距離は第１吐出口１６ａの大きさ、毛髪処理液の粘度等により適宜設定される。
【００１８】
収容容器１２内に充填される毛髪処理液は特に限定されないが、酸化染料、アルカリ剤、酸化剤等から構成される染毛剤、アルカリ剤、酸化剤等から構成される脱色剤及び酸化染毛剤により染色された毛髪に適用されるとともに還元剤等から構成される脱染剤等が好ましく使用される。毛髪処理液は液保持壁１５ｃ間において液を保持するために所定の粘度を有することが好ましい。かかる観点より、毛髪処理液の剤型は、水溶液、分散液、乳化液等のゲル状、フォーム状、クリーム状等が好ましい。毛髪処理液の粘度は界面活性剤、油性成分、高分子化合物等を配合することにより調整することができる。これらの成分は単独で配合してもよく、２種以上を組み合わせて配合してもよい。
【００１９】
界面活性剤としては、ポリオキシエチレン（以下、ＰＯＥという）アルキルエーテル類、ＰＯＥアルキルフェニルエーテル類、ＰＯＥ・ポリオキシプロピレンアルキルエーテル類、ＰＯＥソルビタン脂肪酸エステル類、ＰＯＥプロピレングリコール脂肪酸エステル、脂肪族アルカノールアミド類等の非イオン性界面活性剤、塩化ラウリルトリメチルアンモニウム、塩化セチルトリメチルアンモニウム、塩化ステアリルトリメチルアンモニウム、塩化ベヘニルトリメチルアンモニウム、塩化ジステアリルジメチルアンモニウム等のカチオン性界面活性剤、アルキル硫酸塩、ＰＯＥアルキル硫酸塩、アルキル硫酸エステル塩等のアニオン性界面活性剤及び２−ウンデシル−Ｎ−カルボキシメチル−Ｎ−ヒドロキシエチルイミダゾリニウムベタインナトリウム、ココアミドプロピルベタイン、ラウリルジメチルアミノ酢酸ベタイン等の両性界面活性剤が挙げられる。
【００２０】
油性成分としては、オリーブ油等の油脂類、ミツロウ等のロウ類、ラウリルアルコール等の高級アルコール、α−オレフィンオリゴマー等の炭化水素類、ラウリン酸等の高級脂肪酸、バチルアルコール（モノステアリルグリセリルエーテル）等のアルキルグリセリルエーテル、アジピン酸ジイソプロピル等のエステル類、ジメチルポリシロキサン等のシリコーン類等が用いられる。
【００２１】
高分子化合物としては、アラビアガム、カラヤガム、トラガントガム、アルギン酸ナトリウム、キサンタンガム、セルロース誘導体、架橋ポリアクリル酸、ポリ塩化ジメチルメチレンピペリジウム等が挙げられる。
【００２２】
次に、上記のように構成された塗布具付容器１１の作用を説明する。
まず、収容容器１２内に充填された毛髪処理液は収容容器１２を手で挟持変形させることにより上端開口部１２ａから櫛体１３内へ吐出させる。毛髪処理液を吐出させる際の塗布具付容器１１の向きは特に限定されず櫛歯部１５を上方に向けた状態でも下方に向けた状態でもいずれでもよい。吐出された毛髪処理液は櫛体本体１４の内部の通水路１４ｄを通り、第１通水孔１５ｅ、第２通水孔１５ｆ、第３通水孔１５ｇから第１通水部１６ｂ、第２通水部１７ｂ、第３通水部１８ｂへとそれぞれ流出する。そして、毛髪処理液は一対の第１吐出口１６ａ、第２吐出口１７ａ、第３吐出口１８ａからそれぞれ毛髪挿通部１５ｄ内に吐出される。図５，６に示されるように左右の第１吐出口１６ａから吐出された毛髪処理液１９はまず底板１５ａ上に吐出され、さらに底板１５ａ上面と液保持壁１５ｃとにより形成される角部に向けて進出する。そして、さらに吐出されると毛髪処理液の表面張力により第１吐出口１６ａが形成される第１吐出部１６の側面と該側面に対向する液保持壁１５ｃとの間に保持される。その際、毛髪処理液１９は表面張力により一対の第１保持凸部１５ｈ間に保持されながら液保持壁１５ｃ上方へと進出し、最終的には毛髪挿通部１５ｄ内に充填される。第２吐出口１７ａ及び第３吐出口１８ａからそれぞれ吐出された毛髪処理液１９も同様に表面張力により底板１５ａ、第２吐出部１７と第３吐出部１８の側面及び該側面に対向する液保持壁１５ｃとの間に保持されながら毛髪挿通部１５ｄ内に充填される。毛髪挿通部１５ｄ内に充填される毛髪処理液１９の量は目視にて適用する髪の長さ、塗布する髪の幅により適宜調節することができる。
【００２３】
所定量の毛髪処理液を吐出させた後、毛髪を毛髪挿通部１５ｄ内に挿通させることにより毛髪上に毛髪処理液を塗布する。塗布方法は特に限定されず、頭皮上に液保持板１５ｂの上端を接触させながら上下方向にスライドさせることにより塗布してもよく、所定量の毛を束ねて該毛束を手で毛髪挿通部１５ｄに挿入、移動させることにより塗布してもよい。
【００２４】
本実施形態の塗布具付容器１１によれば、以下のような効果を得ることができる。
（１）本実施形態では、毛髪処理液が毛髪吐出される第１吐出口１６ａ、第２吐出口１７ａ及び第３吐出口１８ａの開口方向をそれぞれ液保持壁１５ｃの壁面に向けて形成した。したがって、吐出口から吐出された毛髪処理液は、まず底板１５ａ上から底板１５ａと液保持板１５ｂとの角部にかけて進出する。そして、さらに薬液が吐出されると吐出口が形成される吐出部の側面と該側面に対向する液保持壁１５ｃとの間に保持される。つまり、毛髪処理液は毛髪挿通部１５ｄ内の保持スペースに向けて吐出されるため液だれするおそれがない。また、噴出力により毛髪処理液が吐出口から勢いよく飛び出しても毛髪挿通部１５ｄから飛び出すおそれがない。
【００２５】
（２）また、毛髪挿通部１５ｄは一対の液保持板１５ｂが略平行に配される構成であるため、上方又は側方から毛髪処理液の吐出量を目視にて確認することができる。それにより、髪の長さ、塗布する毛髪の幅により液量を容易に調節することができ、一回のコーミング動作で毛髪に毛髪処理液を塗布することも可能となる。
【００２６】
（３）また、毛髪を所定量束ね、その毛束を毛髪挿通部１５ｄに通過させる作業を必須とするものではないため、補助者を要することなく自分で液保持板１５ｂの先端を頭皮に接触移動させることにより毛髪処理を行なうことが可能となる。
【００２７】
（４）本実施形態において、第１吐出口１６ａの中心軸線Ｔ１は液保持壁１５ｃに対し略垂直方向に向いて形成されている。したがって、吐出口から吐出された毛髪処理液は確実に液保持壁１５ｃに保持される。
【００２８】
（５）本実施形態において、第１吐出口１６ａ〜第３吐出口１８ａは、それぞれ一対の液保持壁１５ｃ間の略中央部において、一対の吐出口が互いに反対向きになるよう配設した。したがって、左右の液保持壁１５ｃ間に均一に毛髪処理液が吐出・保持されるため毛髪挿通部１５ｄ内を通過する毛髪において塗布漏れが防止される。
【００２９】
（６）本実施形態において、毛髪処理液は底板１５ａの略中央部に貫通される一つの第１通水孔１５ｅから第１吐出部１６の左右両側に設けられている２つの第１吐出口１６ａへ分離して吐出されるよう構成した。したがって、左右の吐出口から同量ずつ吐出されるため、毛束の幅方向において一層均等に薬液が塗布される。
【００３０】
（７）本実施形態において、第１吐出部１６〜第３吐出部１８は毛髪挿通部１５ｄにおいて毛髪の挿通方向において等間隔で並列に配設した。したがって、毛髪処理液を毛髪挿通部１５ｄ内の長手方向に均等に充填させることができる。それにより、一層の毛髪処理液の塗布漏れを防止することができるとともに毛束の上下方向においても均一に薬液を塗布することが可能となる。
【００３１】
（８）本実施形態において、第１吐出口１６ａの中心軸線Ｔ１を挟むように液保持壁１５ｃの壁面上において一対の第１保持凸部１５ｈを上下方向に設けた。したがって、第１吐出口１６ａから吐出された毛髪処理液は一対の第１保持凸部１５ｈ間に保持されながら毛髪挿通部１５ｄ内上方へ充填されるとともに、塗布具付容器１１を傾けたとしても毛髪挿通部１５ｄ両端からの液だれを抑制することができる。また、毛髪処理液の表面張力により液保持壁１５ｃに沿って上方に移動するため、毛髪処理液が吐出口周辺に集中しないように拡散させることができる。
【００３２】
（９）本実施形態おいて、毛髪挿通部１５ｄを構成する底板１５ａの表面上において、吐出口（第１吐出口１６ａ等）を有する凸状の吐出部（第１吐出部１６等）を設けた。したがって、吐出口から吐出された薬液はまず表面張力により吐出口が形成される吐出部の側面と液保持壁１５ｃとの間に保持される。つまり、薬液が保持される面が増えることにより一層液だれを防止することができる。
【００３３】
尚、上記実施形態は、次のように変更して具体化することも可能である。
・図７に示されるように、第２吐出部１７の毛髪の挿通方法における一側面において、左右２つの第２吐出口１７ａと連通する第４吐出口１７ｃを設けてもよい。同様に第３吐出部１８の毛髪挿通方向における一側面において、左右２つの第３吐出口１８ａと連通する第５吐出口１８ｃを設けてもよい。かかる構成においては、毛髪挿通部１５ｄの幅方向においてより均一に薬液を充填させることができる。第４吐出口１７ｃと第５吐出口１８ｃは左右両側の吐出口と連通しているため薬液の表面張力により吐出された薬液がそのまま吐出方向に液だれするおそれはない。また、図８、図９に示されるように底板１５ａ表面上において第４吐出口１７ｃと第５吐出口１８ｃの吐出方向に左右の液保持壁１５ｃ間を繋ぐように第２保持凸部１５ｊを設けてもよい。かかる構成においては、吐出された液剤がまず第２保持凸部１５ｊによって保持されるため、吐出方向への液だれを一層防止することができる。
【００３４】
・図１０〜図１２に示されるように、液保持板１５ｂの上端部に複数の短い櫛歯１５ｋを並列させてもよい。液保持板１５ｂの先端を櫛歯状にすることで、特に頭皮に液保持板１５ｂの先端を接触させる際、及びコーミングにおいて上下方向にスライドさせる際に毛髪との絡みが低減される。
【００３５】
また、図１３に示されるように、櫛歯１５ｋは液保持板１５ｂの長手方向の両端付近にのみ設けてもよい。かかる構成において、液保持板１５ｂの上端中央部の壁面部１５ｍによって第１吐出口１６ａ等から吐出された薬液が保持されやすくなるとともに両端の櫛歯１５ｋによってコーミングにおいて上下方向へのスライド移動が容易となる。
【００３６】
・薬液が吐出される吐出口は、例えば図１４に示されるような第６吐出部２０のような構成であってもよい。第６吐出部２０の構成は、薬液が吐出する吐出口としての第６吐出口２０ａが２つ設けられ、該第６吐出口の開口方向はそれぞれ斜め上方に傾けて形成されている。第６吐出口２０ａの開口面と垂直に交差する中心軸線Ｔ２は液保持壁１５ｃ面に対し斜めに交差する。かかる構成においても薬液が第６吐出口２０ａから吐出するとまず第６吐出部２０と液保持壁１５ｃとの間において保持される。また、第６吐出口２０ａの開口方向は液保持壁１５ｃの壁面に向けて形成されているため、勢いよく薬液が第６吐出口２０ａから吐出したとしても、まず液保持壁１５ｃによって保持される。
【００３７】
・薬液が吐出される吐出部は、例えば図１５、図１６に示されるような第７吐出部２１の構成であってもよい。かかる第７吐出部２１は、四方側面において第７吐出口２１ａがそれぞれ形成されている四角柱形状を有するとともに各側面が液保持壁１５ｃの壁面に対し斜めに交わる角度で底板１５ａ上の略中央部に配設される。４つの第７吐出口２１ａは底板１５ａの上下面を貫通する第４通水孔１５ｐと連通している。また、各第７吐出口２１ａの開口面と垂直に交差する各中心軸線Ｔ３は液保持壁１５ｃ面に対し斜めに交差する。液保持壁１５ｃ面上には各中心軸線Ｔ３を挟むように上下方向に延びる第３保持凸部１５ｎが設けられている。
【００３８】
かかる構成においても薬液が第７吐出口２１ａから吐出するとまず第７吐出部２１と液保持壁１５ｃとの間において保持される。また、第７吐出口２１ａの開口方向は液保持壁１５ｃの壁面に向けて形成されているため、勢いよく薬液が第７吐出口２１ａから吐出したとしても、まず液保持壁１５ｃによって保持される。つまり、吐出口の開口方向が液保持壁１５ｃの壁面に向けて形成されることにより、液だれすることなく毛髪挿通部１５ｄ内に充填される。
【００３９】
また、吐出された液剤は表面張力により毛髪挿通部１５ｄ内の第３保持凸部１５ｎ間に保持されながら充填されるため液だれを一層抑制することができる。さらに、液剤は一つの第４通水孔１５ｐから斜め四方に向けられる第７吐出口２１ａへ吐出されるため、一つの通水孔を有する構成であっても毛髪挿通部１５ｄ内の長手方向、幅方向に効率よく均一に薬液を充填させることができる。
【００４０】
・図１７は、参考例を示す。図１７に示されるように、薬液が吐出される吐出部は、毛髪挿通部１５ｄにおいて幅方向に並列に配置される第８吐出部２２のように構成してもよい。かかる構成においては、第８吐出部２２の吐出口としての第８吐出口２２ａが幅方向に配列されるため、幅方向に薬液を均一に充填させることができる。また、薬液は第８吐出部２２間においても保持されるため、液だれ防止能をより向上させることができる。
【００４１】
・上記実施形態において、底板１５ａ上において凸状（四角柱状）の吐出部（第１吐出口１６ａ等）を設けた。しかしながら、吐出部は凸状でなくてもよく、例えば図１８に示されるように底板１５ａ上に凹部２３を設け、該凹部２３内に開口方向を液保持壁１５ｃの壁面上に向けて形成した第９吐出口２３ａのように構成してもよい。かかる構成においても第９吐出口２３ａから吐出された薬液はまず液保持壁１５ｃの壁面上に保持される。
【００４２】
・図１９に示されるように、第１０吐出部２４として一対の第１０吐出口２４ａを互いに対向させるとともに２つの液保持壁１５ｃにそれぞれ凸状（四角柱状）の吐出部を隣接させるように設けてもよい。図１９においては２つの液保持壁１５ｃ間において３対配置するが、配置数は特に限定されない。かかる構成においても、第１０吐出口２４ａから吐出される薬液はまず対向する吐出口から吐出される薬液と凝集し、その後第１０吐出部２４の表面上、さらには液保持壁１５ｃ面上及び第１保持凸部１５ｈの表面に接触しながら液保持壁１５ｃ間において充填・保持されるため液だれを一層防止することができる。
【００４３】
・図２０に示されるように、図１９に示される構成にさらに毛髪挿通部１５ｄの幅方向略中央部且つ第１保持凸部１５ｈと第１０吐出部２４の略中央部において凸状（四角柱状）の吐出部として第１１吐出部２５を長さ方向に並列させてもよい。第１１吐出部２５の吐出口としての第１１吐出口２５ａを液保持壁１５ｃに対向させることにより、第１１吐出口２５ａから吐出された薬液はまず第１保持凸部１５ｈと第１０吐出部２４間に保持される。
【００４４】
・上記実施形態において、櫛体１３は各部品毎（例えば、櫛体本体１４と櫛歯部１５）を作成し、それぞれ連結させることにより構成しても良く、一体的に成型することにより作成してもよい。
【００４５】
・上記実施形態において、毛髪挿通部１５ｄ内に構成される吐出部を３つ設けた。しかしながら、吐出部の数は特に限定されず１又は２以上であってもよい。また、吐出部の形状は平面略長方形状に構成した。しかしながら、吐出部の形状は特に限定されず半球状、半卵形状、半円柱状、ピラミッド型等であってもよい。かかる形状であっても、吐出口を液保持壁１５ｃに向けて形成することにより、薬液がまず液保持壁１５ｃに保持される。また、吐出部の表面と液保持壁１５ｃの間においても表面張力により薬液が保持されるため液だれが防止される。
【００４６】
・上記実施形態において、吐出口（第１吐出口１６ａ等）の形状を略正方形に構成した。しかしながら、吐出口の形状及び大きさは特に限定されず液剤の粘度、吐出量等に応じ、円形、三角形等の形状を適宜採用することができる。
【００４７】
・上記実施形態において、液保持板１５ｂ及び液保持壁１５ｃの形状を長方形状に構成した。しかしながら、それらの形状は特に限定されず毛髪の長さ、量、液剤の粘度等を考慮し適宜変形させることができる。
【００４８】
・上記実施形態において、吐出部（第１吐出部１６等）の左右両側面のそれぞれに吐出口（第１吐出口１６ａ等）を形成した。しかしながら、片面のみ吐出口が形成される構成であってもよい。
【００４９】
次に、上記実施形態及び別例から把握できる技術的思想について、それらの効果とともに以下に追記する。
（ａ）前記吐出口は、前記毛髪挿通部の一部を構成する底面上に設けられている凸状の吐出部に形成されている塗布具付容器。従って、この（ａ）に記載の発明によれば、吐出口から吐出された毛髪処理液はまず吐出部の表面と液保持壁の壁面との間において表面張力により保持されるため液だれを一層防止することができる。
【図面の簡単な説明】
【００５０】
【図１】本実施形態の塗布具付容器の要部斜視図。
【図２】本実施形態の塗布具付容器の平面図。
【図３】本実施形態の塗布具付容器の要部Ａ−Ａ断面図。
【図４】本実施形態の塗布具付容器の要部Ｂ−Ｂ断面図。
【図５】毛髪処理液吐出時における本実施形態の塗布具付容器の要部Ａ−Ａ断面図。
【図６】毛髪処理液吐出時における本実施形態の塗布具付容器の平面図。
【図７】この発明の別の実施形態の塗布具付容器の要部断面図。
【図８】この発明の別の実施形態の塗布具付容器の平面図。
【図９】図８における塗布具付容器の要部Ｃ−Ｃ断面図。
【図１０】この発明の別の実施形態の塗布具付容器の平面図。
【図１１】図１０における塗布具付容器の要部Ｄ−Ｄ断面図。
【図１２】図１０における塗布具付容器の要部Ｅ−Ｅ断面図。
【図１３】この発明の別の実施形態の塗布具付容器の要部断面図。
【図１４】この発明の別の実施形態の塗布具付容器の要部断面図。
【図１５】この発明の別の実施形態の塗布具付容器の要部平面図。
【図１６】図１５における塗布具付容器の要部Ｆ−Ｆ断面図。
【図１７】参考例としての塗布具付容器の平面図。
【図１８】この発明の別の実施形態の塗布具付容器。（ａ）要部Ｇ−Ｇ断面図。（ｂ）要部平面図。
【図１９】この発明の別の実施形態の塗布具付容器。（ａ）平面図。（ｂ）要部Ｈ−Ｈ断面図。
【図２０】この発明の別の実施形態の塗布具付容器の平面図。
【符号の説明】
【００５１】
１１…塗布具付容器、１２…収容容器、１３…櫛体、１５ｂ…液保持板、１５ｃ…液保持壁、１５ｄ…毛髪挿通部、１５ｈ…第１保持凸部、１６…第１吐出部、１６ａ…第１吐出口、１７…第２吐出部、１７ａ…第２吐出口、１８…第３吐出部、１８ａ…第３吐出口、１９…毛髪処理液、Ｔ１〜Ｔ３…吐出口の中心軸線、Ｈ１…液保持壁の高さ、Ｈ２…吐出部の高さ、Ｗ…毛髪挿通部の幅、Ｌ…毛髪挿通部の長さ。
【図１】
0004634925.tif 000002
【図２】
0004634925.tif 000003
【図３】
0004634925.tif 000004
【図４】
0004634925.tif 000005
【図５】
0004634925.tif 000006
【図６】
0004634925.tif 000007
【図７】
0004634925.tif 000008
【図８】
0004634925.tif 000009
【図９】
0004634925.tif 000010
【図１０】
0004634925.tif 000011
【図１１】
0004634925.tif 000012
【図１２】
0004634925.tif 000013
【図１３】
0004634925.tif 000014
【図１４】
0004634925.tif 000015
【図１５】
0004634925.tif 000016
【図１６】
0004634925.tif 000017
【図１７】
0004634925.tif 000018
【図１８】
0004634925.tif 000019
【図１９】
0004634925.tif 000020
【図２０】
0004634925.tif 000021